(57)【要約】【課題】固形薬剤が収容された薬剤供給器に、十分な量の洗浄水を送り込むことができる水洗便器の洗浄装置を提供する。【解決手段】洗浄水を便器（１１）に供給する主給水管（１４）に接続されるジョイント部（１３）と、このジョイント部（１３）に接続された分岐管（１６）と、分岐管（１６）に接続され、前記分岐管（１６）を介して流入した洗浄水に薬剤を混合させ、薬剤入り洗浄水を前記分岐管（１６）を介して前記主給水管（１４）に排出する薬剤供給器（１８）と、前記ジョイント部（１３）内に設けられ、前記主給水管（１４）内を流れる洗浄水を前記分岐管（１６）へ導くガイド部材（１９）とを有し、前記ガイド部材（１９）は、一端が前記ジョイント部（１３）に取り付けられ、他端が前記分岐管（１６）内へ挿入されることを特徴とする水洗便器の洗浄装置。【選択図】      図２
2004150023.tif 000002
【特許請求の範囲】
【請求項１】
洗浄水を便器に供給する主給水路に接続されるジョイント部と、このジョイント部に接続された分岐管と、分岐管に接続され、前記分岐管を介して流入した洗浄水に薬剤を混合させ、薬剤入り洗浄水を前記分岐管を介して前記主給水路に排出する薬剤供給器と、前記ジョイント部内に設けられ、前記主給水路内を流れる洗浄水を前記分岐管へ導くガイド部材とを有し、
前記ガイド部材は、一端が前記ジョイント部に取り付けられ、他端が前記分岐管内へ挿入されることを特徴とする水洗便器の洗浄装置。
【請求項２】
前記ガイド部材は、前記ガイド部材の長手方向軸を回転軸として回転可能に前記ジョイント部に取り付けられたことを特徴とする請求項１記載の水洗便器の洗浄装置。
【請求項３】
前記ガイド部材の形状は、略半円筒状であることを特徴とする請求項１又は２に記載の水洗便器の洗浄装置。
【請求項４】
前記ガイド部材のうち、前記分岐管内に挿入される部分の厚みを、前記分岐管内に挿入されない部分の厚みより薄くしたことを特徴とする請求項１から３のいずれかに記載の水洗便器の洗浄装置。
【請求項５】
前記ガイド部材は、前記分岐管の内周面と接触するように前記分岐管内に挿入されることを特徴とする請求項１から４のいずれかに記載の水洗便器の洗浄装置。
【請求項６】
前記ジョイント部は、洗浄水が内側を流れる延出部を有し、この延出部は前記水洗便器の上面に設けられた挿入部に挿入可能であることを特徴とする請求項１から５のいずれかに記載の水洗便器の洗浄装置。
【発明の詳細な説明】
【０００１】
【発明の属する技術分野】
本発明は、主給水路を流れる洗浄水を分岐管を介して薬剤供給器へ導き、この薬剤供給器に導かれた洗浄水を分岐管及び主給水路を介して水洗便器に送り込むことにより便器洗浄を行う水洗便器の洗浄装置に関する。
【０００２】
【従来技術】
上記のような水洗便器の洗浄装置（以下、「洗浄装置」と略す。）は、便器への尿石の付着や便器からの悪臭の発生などを防止するために、水洗便器に洗浄水を供給する主給水路に接続されて使用される。
【０００３】
一般に使用される洗浄装置を図９、図１０に示す。同図において、１０２は洗浄水を小便器に導く主給水路、１０３は主給水路１０２に流れる洗浄水を薬剤供給器１０４へ分岐流入させる分岐管である。１０５は主給水路１０２を流れる洗浄水の一部を分岐管１０３へガイドする流動部材である。流動部材１０５は、半円筒状の形をしており、主給水路１０２の内側に洗浄水の流れ方向に対して直角に配設されている。そして、流動部材１０５の先端の延長線上には、分岐管１０３の一端が開口するように配置されている。
【０００４】
使用者が便器洗浄を指示すると、洗浄水が主給水路１０２の中を図中下方向に流れる。この洗浄水は、主給水路１０２の途中に設けられた流動部材１０５に衝突し、流動部材１０５の内周面にガイドされながら分岐管１０３へ流れ込む。
【０００５】
分岐管１０３に流れ込んだ洗浄水は、薬剤供給器１０４に流入し不図示の固形薬剤を溶解した後、分岐管１０３へ流出される。分岐管１０３に流出された洗浄水は、主給水路１０２を介して小便器に流れ込む。このようにして、便器洗浄は終了する。
【０００６】
【特許文献】
特開２０００−２４０８７８号公報
【０００７】
【発明が解決しようとする課題】
しかしながら、上記のような洗浄装置では、分岐管１０３が流動部材１０５の先端部の延長線上に配置されているため、洗浄水の流量を制御するのが困難となる。つまり、流動部材１０５と分岐管１０３の間に隙間があるため、この隙間から洗浄水の一部が流れ落ち、薬剤供給器１０４に送り込まれる洗浄水の流量が減少する。このため、水洗便器に流れ込む洗浄水の流量が不足し、水洗便器への尿石の付着、悪臭の発生などの問題を招くおそれがある。
【０００８】
【課題を解決するための手段】
上記の課題を解決するために、洗浄水を便器に供給する主給水路に接続されるジョイント部と、このジョイント部に接続された分岐管と、分岐管に接続され、前記分岐管を介して流入した洗浄水に薬剤を混合させ、薬剤入り洗浄水を前記分岐管を介して前記主給水路に排出する薬剤供給器と、前記ジョイント部内に設けられ、前記主給水路内を流れる洗浄水を前記分岐管へ導くガイド部材とを有する洗浄装置において、前記ガイド部材の一端を前記ジョイントに取り付けるとともに他端を前記分岐管内へ挿入させている。
【０００９】
このように本発明では、ガイド部材の他端が分岐管内に挿入されているため、上述した従来技術のように、ガイド部材と分岐管の隙間から洗浄水が流れ落ちるということは起こりにくい。従って、薬剤供給器に十分な量の洗浄水を送り込むことができる。
【００１０】
また、上記発明においてガイド部材を、その長手方向軸を回転軸として回転できるようにジョイントに取り付けて、分岐管に導く洗浄水の流量の調節をできるようにするのが望ましい。
【００１１】
ガイド部材の形状を略半円筒状とし、このガイド部材の内周面に洗浄水をガイドさせるのが望ましい。
【００１２】
ガイド部材のうち、分岐管に挿入される部分の厚みを、分岐管に挿入されない部分の厚みより薄くして、内径が大きなガイド部材を、分岐管に確実に挿入できるようにするのが望ましい。
【００１３】
分岐管に挿入されるガイド部材の部分を、分岐管の内周面に接触させるとよい。
【００１４】
洗浄器の取り付けを容易にするために、ジョイント部に洗浄水が内側を流れる延出部を設け、この延出部を小便器上面に設けられた挿入部に挿入可能としてもよい。
【００１５】
【発明の実施の形態】
（第１実施形態）
以下、本発明の第１実施形態について図面を参照しながら説明する。図１には、本発明の第１実施形態である水洗便器の洗浄装置とこの洗浄装置が取り付けられる水洗便器が示されている。
【００１６】
同図において、１１は水洗便器であり、水洗便器１１の上面には、ジョイント１３をねじ込むためのスパット１２が設けられている。ジョイント１３の上端には、図中上下方向に延びる主給水管１４の下端が密着可能とされている。１３には、図中左右方向に延びる分岐管１６の一端がねじ込まれている。
【００１７】
分岐管１６の他端には、キャップバルブ部１７を介して薬剤供給器１８が取り付けられており、薬剤供給器１８には、水洗便器１１を洗浄するための固形薬剤（不図示）が収容されている。ジョイント１３の内部には、図１においては図示しないガイド部材が取り付けられており、これにより主給水管１４を流れる洗浄水を分岐管１６へ導けるようにしている。
【００１８】
次に、ジョイント１３の構造などについて図２、図３を併せ用いて詳細に説明する。ジョイント１３は、主給水管１４と分岐管１６とを接続する円筒状のジョイントである。
【００１９】
ジョイント１３の上側外周面には、六角ネジ１５をねじ込むためのネジ部１３ａが、下側内周面には、スパット１２にねじ込むためのネジ部１３ｂが形成されている。主給水管１４をジョイント１３に取り付ける時は、主給水管１４に六角ネジ１５を嵌め込むとともに主給水管１４の下部をジョイント１３の上側開口部に挿入させ，最後に六角ネジ１５をネジ部１３ａにねじ込めばよい。ジョイント１３の中央には、分岐管１６をねじ込むためのネジ穴部１３ｃとガイド部材１９を挿入するためのガイド部材挿入用穴部１３ｄが設けられている。
【００２０】
次に、ガイド部材１９の構造などについて詳細に説明する。ガイド部材１９は、円筒を半割りしたような形をしたガイド部１９ａとガイド部材挿入用穴部１３ｄに挿入されてガイド部材１９を支持するガイド部材支持部１９ｂとを有して構成されている。
【００２１】
ガイド部１９ａの先端部には、分岐管１６内に挿入される挿入部１９１が設けられている。挿入部１９１は、その厚みを、分岐管１６に挿入されない部分におけるガイド部１９ａの厚みより薄くしたものである。これにより、受水面積を増やすために、ガイド部１９ａの内周面の面積を大きくした場合でも、ガイド部材１９の先端部を分岐管１６内に挿入させることができる。
【００２２】
このように、本実施形態ではガイド部１９ａの先端部を分岐管１６内に挿入しているため、前述した従来技術のように、ガイド部材と分岐管の隙間から洗浄水が流れ落ちるということは起こりにくい。したがって、分岐管１６を介して十分な量の洗浄水を薬剤供給器１８に送り込むことができる。
【００２３】
また、図２に示すように、分岐管１６内に挿入されたガイド部１９ａの外周面は、分岐管１６の内周面に接触している。これにより、ガイド部材１９は、分岐管１６とジョイント１３により、その両端が支持されため、破損などの危険性が減る。
【００２４】
つまり、上述した従来技術では、流動部材をその一端をジョイントに取り付けて支持するが、本実施形態のガイド部材１９は、ジョイント１３と分岐管１６によりその両端が支持されるため、上方から衝突する洗浄水によって受ける最大曲げモーメントを低く抑えることができる。したがって、耐久性の高い洗浄装置を提供することができる。
【００２５】
ガイド部材支持部１９ｂには、ジョイント１３の外側からマイナスドライバの先端を突き当てるための溝部１９２が形成されている。ガイド部材１９をその長手方向軸回りに回転させるときは、溝部１９２にマイナスドライバの先端部を突き当てて回転させればよい。
【００２６】
このように、本実施形態では、ガイド部材１９をその長手方向軸回りに回転させることができる。これにより、ガイド部材１９の回転角度に応じて、洗浄水の受水面積を変えることができるため、ガイド部材１９にガイドされる洗浄水の流量を確実にコントロールできる。
【００２７】
つまり、薬剤供給器１８に流入する洗浄水が多すぎるとオーバーフローが起こるため、通常、主給水路を流れる洗浄水の流量を制御する必要があるが、本実施形態では、ガイド部材１９の回転角度を変えることにより、薬剤供給器１８に流入する洗浄水の流量を制御できる。従って、主給水路を流れる洗浄水の流量についてあまり気を使う必要がない。
【００２８】
溝部１９２の近傍には、ガイド部材１９の受水面積をジョイント１３の外部から判定するための微小凹部１９３が設けられている。微小凹部１９３がジョイント１３の上端に近づくと、ガイド部１９ａの内周面と洗浄水との接触面積が増えるため、受水面積は増加し、ジョイント１３の上端から離れると、ガイド部１９ａの内周面と洗浄水との接触面積が減るため、受水面積は減少する。これにより、薬剤供給器１８に流入する洗浄水の流量を、より一層確実に制御できるようになる。
【００２９】
ガイド部材支持部１９ｂには、弾性材料からなるＯリング２１が嵌め込まれている。ガイド部材支持部１９ｂをガイド部材挿入用穴部１３ｄに挿入すると、Ｏリング２１がガイド部材挿入用穴部１３ｄと係合し、ジョイント１３から洗浄水が漏れ出すのを防止できる。
【００３０】
次に、本実施形態で使用される薬剤供給器１８の構造について、図４、図５、図６を用いて詳細に説明する。
【００３１】
これらの図において、２１１は上端が開口した箱形の容器である。この容器の底面２１１ａの中央には、図４に示すように、上下方向に延びる水路穴２２５ａが形成された弁本体２２５が取り付けられており、水路穴２２５ａ内には、この水路穴２２５ａの内径よりも小さな外径を有する弁可動体２２０の軸部２２０ａが上下方向に移動可能に挿入されている。軸部２２０ａの上端には平円筒形状のフロート部２２０ｂが設けられており、軸部２２０ａの下端には円錐台形状の開閉部２２０ｃが設けられている。また、弁本体２２５の水路穴２２５ａの下端部には、上記弁可動体２２０の開閉部２２０ｃの斜面が密着および離脱する弁受け部２２５ｂが形成されている。なお、弁本体２２５および弁可動体２２０により切換弁が構成される。
【００３２】
また、容器２１１の底面２１１ａにおける切換弁２２０、２２５を挟んだ左右両側には、すのこ状の薬剤支持台２１４が形成されている。図５に示すように、この薬剤支持台２１４の上面２１４ａは、容器２１１の底面２１１ａよりも高い位置にある。また、薬剤支持台２１４の溝２１４ｂは左右方向、すなわち、切換弁２２０、２２５と容器２１１の側面とに向かう方向に延びている。このように形成された各薬剤支持台２１４の上面２１４ａには、図６に示すように、立方体又は直方体形状の固形薬剤Ｙが載置される。
【００３３】
さらに、容器２１１の底面２１１ａにおける切換弁２２０、２２５に対する左右の隣接位置（薬剤支持台２１４の左右方向における内側端部の位置）からは、上方に延びる櫛歯状の薬剤止め２１５が切換弁２２０、２２５に対向するように設けられている。なお、薬剤支持台２１４と薬剤止め２１５は、容器２１１に対して一体成形されている。また、容器２１１内において、これら薬剤支持台２１４と薬剤止め２１５とが形成された左右２箇所の部分が薬剤配置部である。
【００３４】
容器２１１の左右方向における中央上端には芳香剤支持台２３０が前後方向に延びるように設けられている。この芳香剤支持台２３０の後部には、前側ほど高くなる傾斜面２３０ａが形成されている。この傾斜面２３０ａの上には、芳香剤を封入した平板格子状の芳香剤カセット２４０が載置される。
【００３５】
２５１、２５２および２５３はそれぞれ容器２１１および芳香剤支持台２３０の傾斜面２３０ａに載置された芳香剤カセット２４０の全体を覆う外装カバー本体、下部外装カバーおよび上部外装カバーである。
【００３６】
外装カバー本体２５１は、下部外装カバー２５２および上部外装カバー２５３の高さを合わせた分の高さ寸法を有しており、その背面において便所の壁面にねじ止め等により固定される。また、外装カバー本体２５１の上端部前側には、凹曲面部２５１ａが形成されている。
【００３７】
下部外装カバー２５２は、外装カバー本体２５１の下部前面に接着等によって固定される。図４に示すように、この下部外装カバー２５２の前面における左右方向中央（芳香剤支持台２３０の前部に対向する位置）の裏側には、前後方向に弾性的に移動可能なスナップ係合爪２５５の基端部が接着等により固定されている。
図４に示す上部外装カバー２５３の前面における左右方向中央の裏側には、スナップ係合爪２５５の爪部が係合するための爪係合部２５３ｂが形成されており、さらに上部外装カバー２５３の前面における係合部２５３ｂの上方には、係合解除穴２５３ａが形成されている。
【００３８】
この上部外装カバー２５３は、外装カバー本体２５１および下部外装カバー２５２の上方から、上部外装カバー２５３の左右側面の裏側に形成されたガイドレール２５３ｄを外装カバー本体２５１の側面上部に形成されたガイド溝２５２ａに挿入しながら下方に移動させ、さらに爪係合部２５３ｂにスナップ係合爪２５５の爪部を係合させることにより、外装カバー本体２５１および下部外装カバー２５２に対して取り付けられる。こうして取り付けられた上部外装カバー２５３の上部後側と外装カバー本体２５１の凹曲面部２５１ａとの間には、芳香剤支持台２３０の傾斜面２３０ａに載置された芳香剤カセット２４０の表面に対向する空気通路２５７が形成される。
【００３９】
なお、空気通路２５７からゴミ等が入るのを防止するために、上部外装カバー２５３の上部後側の裏側には、複数のゴミ除けプレート２５３ｃが左右方向に並んで形成されている。
【００４０】
また、固形薬剤Ｙを補充したり芳香剤カセット２４０を交換したりするために上部外装カバー２５３を取り外す場合には、上部外装カバー２５３の係合解除穴２５３ａにピン等の工具を差し込んでスナップ係合爪２５５を後方に押し、スナップ係合爪２５５と上部外装カバー２５３の爪係合部２５３ｂとの係合を解除すればよい。
【００４１】
次に、上記のように構成された薬剤供給装置の動作について、図７を併せ用いて説明する。図７（ａ）は、容器２１１内に洗浄水が流入する前の状態を示している。この状態では、弁可動体２２０のフロート部２２０ｂが弁本体２２５の上端面に当接するまで下動している。また、このとき、弁可動体２２０の開閉部２２０ｃは弁本体２２５の弁受け部２２５ｂから離脱しており、水路穴２２５ａ内に洗浄水の流入が可能な状態になっている。
【００４２】
水洗便器１１の使用者が用を足した後等に、不図示のスイッチボタンを押すと、洗浄水が、主給水管１４を通って下方に移動する。主給水管１４の途中にはガイド部材１９が設けられているため、洗浄水の一部は、ガイド部材１９に衝突し、ガイド部１９ａの内周面にガイドされながら分岐管１６内へ流れ込む。分岐管１６に流れ込んだ洗浄水は、弁本体２２５の水路穴２２５ａ内に流入する。
【００４３】
そして、この水路穴２２５ａ内に流入した洗浄水の圧力をフロート部２２０ｂで受けることによって弁可動体２２０が押し上げられ、水路穴２２５ａの上端が開放されて洗浄水Ｗが容器２１１内に流入する。容器２１１内に流入した洗浄水Ｗには、固形薬剤Ｙが溶け出し、容器２１１内の洗浄水は薬剤入り洗浄水となる。容器２１１内に流入した洗浄水Ｗの水位が増えるにつれて、この洗浄水Ｗにフロート部２２０ｂが浮かぶことによって弁可動体２２０が徐々に上動する。
【００４４】
ここで、本装置では、固形薬剤Ｙをすのこ状の薬剤支持台２１４に載置しているので、固形薬剤を容器２１１の底面に直接載置する場合に比べて、固形薬剤Ｙの洗浄水Ｗとの接触表面積を大きくすることができる。したがって、固形薬剤Ｙを洗浄水Ｗに溶け出させるための時間（洗浄水が容器２１１内に流入しはじめてから洗浄水の流出が終わるまでの時間）が短い場合でも、十分な濃度の薬剤入り洗浄水Ｗを容器２１１内で作り、水洗便器１１に供給することができる。
【００４５】
また、容器２１１内に洗浄水Ｗが流入すると、その水流の勢いによって固形薬剤Ｙが容器１内で切換弁２２０、２２５に近づく方向に移動する可能性がある。しかし、本装置では、薬剤止め２１５によって固形薬剤Ｙが切換弁２２０、２２５に干渉することが確実に防止されているので、固形薬剤Ｙが切換弁２２０、２２５に引っかかる等して切換弁２２０、２２５の動作が妨げられるような事態が発生することはない。また、容器２１１内に洗浄水Ｗが流入しはじめると、容器２１１内ないし外装カバー２５１〜２５３内の空気Ａが空気通路２５７に向かって押し出される。空気通路２５７に対向して芳香剤カセット２４０が配置されているため、押し出される空気Ａは芳香剤カセット２４０を通過して効率良く香りがつけられた状態で、空気通路２５７から装置外部に排出される。
【００４６】
こうして容器２１１内に流入した洗浄水Ｗが所定量に達すると、弁可動体２２０の開閉部２２０ｃが弁本体２２５の弁受け部２２５ｂに密着して水路穴２２５ａを閉じるので、洗浄水の容器２１１内への流入が止まる。
【００４７】
この後、水洗便器１１への洗浄水の供給が止まると、図７（ｃ）に示すように、分岐管１６内の圧力が下がるので、弁可動体２２０はその自重によって若干下動し、弁本体２２５の弁受け部２２５ｂに密着していた開閉部２２０ｃがそこから離脱する。これにより、容器２１１内の薬剤入り洗浄液Ｗが容器２１１内から水路穴２２５ａおよび分岐管１６を通って水洗便器１１に流出し始め、容器２１１内での水位が減るのに伴って弁可動体２２０も徐々に下動する。こうして、容器２１１内の薬剤入り洗浄液Ｗの大部分が水洗便器１１に供給され、水洗便器１１への尿石の付着等を防止する。
【００４８】
（第２実施形態）
図８には、本実施形態の洗浄装置とこの洗浄装置が取り付けられる小便器が示されている。３０は、主給水管１４と分岐管１６とを接続するジョイントである。ジョイント３０の上側外周面にはネジ溝３０ａが形成されており、このネジ溝３０ａには、六角ネジ３１がねじ込まれる。ジョイント３０の下側には、内径を一定にした延出管３０ｂが設けられている。
【００４９】
水洗便器１１上面には、スパット３２が設けられており、スパット３２の外周面には六角ネジ３３をねじ込むためのネジ部３２ａが形成されている。また、スパット３２には、延出管３０ｂの外径より若干小さい内径を有する挿入用穴部３２ｂが設けられ、この挿入用穴部３２ｂには延出管３０ｂが挿入される。
【００５０】
次に、洗浄装置を水洗便器１１にどのように取り付けるか説明する。まず、内側にパッキン３４が収容された六角ネジ３３を、延出管３０ｂに嵌め込む。この際、延出管３０ｂの図中上下方向の長さは、六角ネジ３３の図中上下方向の長さより長いため、延出管３０ｂの先端部は、六角ネジ３３の下側の開口部から突出した状態となる。
【００５１】
次に、延出管３０ｂの先端部を、スパット３２に設けられた開口部３２ａへ挿入し、六角ネジ３３をスパナなどを使用して回転させネジ部３２ｂにねじ込む。このねじ込み動作は、パッキン３４が六角ネジ３３の内側上面とスパット３２の上端部に挟み込まれるまで行われ、洗浄装置の取り付け作業が終了する。
【００５２】
このように、本実施形態では、延出官３０ｂを開口部３２ａに差し込むとともに六角ネジ３３を回転させるだけで洗浄装置を小便器に取り付けることができる。したがって、洗浄装置の取り付け作業が容易になる。
【００５３】
【発明の効果】
以上説明したように、本発明によれば、ガイド部材にガイドされる洗浄水を安定的に薬剤供給器に送り込むことが可能となり、便器洗浄を効果的に行うことができる。
【図面の簡単な説明】
【図１】第１実施形態の洗浄装置とこの洗浄装置が取り付けられる小便器を示した図である。
【図２】第１実施形態の洗浄装置を詳細に示した図である。
【図３】第１実施形態の洗浄装置に使用されるガイド部材を詳細に示した図である。
【図４】第１実施形態で使用される薬剤供給装置の外観斜視図である。
【図５】上記薬剤供給装置の内部構造の斜視図である。
【図６】上記薬剤供給装置の正面断面図である。
【図７】上記薬剤供給装置の動作説明図である。
【図８】第２実施形態の洗浄装置とこの洗浄装置が取り付けられる小便器を示した図である。
【図９】従来の洗浄器を示した図である。
【図１０】従来の洗浄器に使用されているガイド部材を示した図である。
【符号の説明】
１１  水洗便器
１２  スパット
１３  ３０  ジョイント
１４  主給水管
１５  六角ねじ
１６  分岐管
１７  キャップバルブ部
１８  薬剤供給器
１９  ガイド部材
３０ｂ  延出管
【図１】
2004150023.tif 000003
【図２】
2004150023.tif 000004
【図３】
2004150023.tif 000005
【図４】
2004150023.tif 000006
【図５】
2004150023.tif 000007
【図６】
2004150023.tif 000008
【図７】
2004150023.tif 000009
【図８】
2004150023.tif 000010
【図９】
2004150023.tif 000011
【図１０】
2004150023.tif 000012